(57)【要約】【課題】スクリーン３に投射された超高解像度画像を容易に鮮明に調整することが出来る画像伝送システムを提供する。【解決手段】予め被写体画像を撮影した時の撮像素子での焦点が合う絞りとビューファ８を覗き込んで焦点が合う絞りの関係が求められたテーブル１３を格納する記憶部１４と、記憶部１４からテーブルを読み出す読み出し部１５と、記憶部１４から読み出されたテーブル１３を用いて、ビューファ８の焦点合わせを決定するレンズ９に設けられた焦点合わせ部１６と、を有する。【選択図】      図１
2006148639.tif 000002
【特許請求の範囲】
【請求項１】
被写体画像を覗き込むビューファを有し、前記ビューファよりも高い画素数の撮像素子で撮像する撮像装置と、前記被写体画像を伝送路を介して伝送して、前記撮像素子の画素数と同じ画素数でスクリーン上に投射する画像表示装置とを有し、前記ビューファと前記撮像素子の画素数が異なることによって前記スクリーン上に投射される前記被写体画像の焦点ボケを低減する画像伝送システムにおいて、
前記撮像装置は、
予め前記被写体画像を撮影した時の前記撮像素子での焦点が合う絞りと前記ビューファを覗き込んで焦点が合う絞りの関係が求められたテーブルを格納する記憶部と、
前記記憶部から前記テーブルを読み出す読み出し部と、
前記記憶部から読み出された前記テーブルを用いて、前記ビューファの焦点合わせを決定する焦点合わせ部と、
を有することを特徴とする画像伝送システム。
【発明の詳細な説明】
【技術分野】
【０００１】
本発明は、ＨＤＴＶ画像（ハイビジョン）における解像度を遥かに越える超高解像度画像において、常に好ましい条件での撮像を可能とする画像伝送システムに関する。
【背景技術】
【０００２】
従来の画像伝送システムについて図３を用いて説明する。
まず、光学的に連続した被写体の光像をレンズ９で集光し撮像装置１で電気信号に変換した後、例えば複数のＨＤＴＶ画像Ｖ０に変換し、これを複数の伝送路２により画像表示装置４に送り、画像表示装置４では複数のＨＤＴＶ画像Ｖ０を連続した被写体の光像と同等に連続した画像Ｖ２に変換して投射装置６によりスクリーン３に投射する。
【０００３】
そして、スクリーン３のＰ０の位置に投射された画像を観客席付近のＰ１の位置で指示者が見ながら、携帯電話１１で撮像装置１の操作者の携帯電話１２経由で撮像指示を行う。
操作者はビューファ８の位置Ｐ３付近にてビューファ８の画像を見ながら指示者から音声で送られてくる撮像指示に従って被写体光像を撮像し、レンズ９のフォーカス、絞り等の調整を行い最適な画像を得る。
【０００４】
特許文献１には撮像した超高解像度画像を撮像装置１側で縮小合成してビューファ８に表示する手段が説明されており、この手段を用いて超高解像度画像をＨＤＴＶ画像と同等の解像度に縮小合成すれば、超高解像度画像用のビューファを新たに用意しなくともＨＤＴＶ画像用のビューファを用いて撮像装置１による画像を見ながらレンズ９のフォーカス、絞り等の調整を行い最適な画像を得ることが記載されている。
【特許文献１】特開２００２−１７１４３３号公報
【発明の開示】
【発明が解決しようとする課題】
【０００５】
しかしながら、投射装置６によりスクリーン３上に投射された超高解像度画像は、撮像された画面の画素の一つ一つが鮮明に投射されており、撮像された被写体光像による画像を極めて鮮明になるよう調整しなければならなかった。このため撮像装置１に設置されたビューファ８においては、表示される画面サイズが小さく、更に供給される画像が縮小合成されているので、撮像された画面の画素の一つ一つは不鮮明であり、従って撮像された被写体光像の画像をスクリーン３上に投射された画像と同等の鮮明さに調整することは出来ないという問題点があった。
また、スクリーン３上に投射された画像の状態を携帯電話１１により逐次伝達し、撮像装置１側で携帯電話１２によりこの伝達を受信しながらレンズ９を調整して最適な画像とすることは、極めて困難であり、しかもこの調整には複数の調整用人員が長時間必要であると言う問題点があった。
【０００６】
そこで、本発明は、上記のような問題点を解消するためになされたもので、スクリーン３に投射された超高解像度画像を容易に鮮明に調整することが出来る画像伝送システムを提供することを目的とする。
【課題を解決するための手段】
【０００７】
本発明は、被写体画像を覗き込むビューファを有し、前記ビューファよりも高い画素数の撮像素子で撮像する撮像装置と、前記被写体画像を伝送路を介して伝送して、前記撮像素子の画素数と同じ画素数でスクリーン上に投射する画像表示装置とを有し、前記ビューファと前記撮像素子の画素数が異なることによって前記スクリーン上に投射される前記被写体画像の焦点ボケを低減する画像伝送システムにおいて、前記撮像装置は、予め前記被写体画像を撮影した時の前記撮像素子での焦点が合う絞りと前記ビューファを覗き込んで焦点が合う絞りの関係が求められたテーブルを格納する記憶部と、前記記憶部から前記テーブルを読み出す読み出し部と、前記記憶部から読み出された前記テーブルを用いて、前記ビューファの焦点合わせを決定する焦点合わせ部と、を有することを特徴とする画像伝送システムを提供する。
【発明の効果】
【０００８】
本発明によれば、前記画像伝送システムは、予め前記被写体画像を撮影した時の前記撮像素子での焦点が合う絞りと前記ビューファを覗き込んで焦点が合う絞りの関係が求められたテーブルを格納する記憶部と、前記記憶部から前記テーブルを読み出す読み出し部と、前記記憶部から読み出された前記テーブルを用いて、前記ビューファの焦点合わせを決定する焦点合わせ部と、を有するので、スクリーン上に投射された超高解像度画像を容易に鮮明に調整することが出来る。
【発明を実施するための最良の形態】
【０００９】
以下に本発明の実施形態に係る画像伝送システムについて図１、図２を用いて説明する。
（従来と同一構成については同一符号を付し、その説明を省略する。）
図１は、本発明の実施形態における画像伝送システムを示す図である。
図２は、被写体画像の焦点を合わせる遠隔操作部を示し、（Ａ）は、焦点を合わせる際に用いる画像を示し、（Ｂ）は、遠隔操作部の操作ボタンを示す図である。
【００１０】
図１に示すように、本発明の実施形態における画像伝送システムは、光学的に連続した被写体の光像を撮像し電気信号に変換した後４つに分割した画像信号Ｖ０を出力する撮像装置１と、この画像信号Ｖ０を伝送する伝送路２と、この画像信号Ｖ０を１つの連続した画像として表示するスクリーン３と、この画像信号Ｖ０を１つの連続した画像として表示出来る表示信号Ｖ２に変換する画像表示装置４と、スクリーン３上に投射された表示信号Ｖ２による画像を見ながら焦点を合わせる遠隔操作部５と、表示信号Ｖ２を投射する光像に変換する投射部６と、画像の焦点を合わせる画像位置範囲を示すモニタ７と、撮像装置１側で焦点を合わせる画像を表示するビューファ８と、被写体の光像を撮像装置１の撮像素子に結像するレンズ９と、レンズ９の焦点距離を遠隔操作部５からの制御信号ＣＴＬ１により調整するレンズ駆動部１０と、予め被写体画像を撮影した時の撮像素子での焦点が合う絞りとビューファ８を覗き込んで焦点が合う絞りの関係が求められたテーブル１３と、テーブル１３を格納する記憶部１４と、記憶部１４からテーブルを読み出す読み出し部１５と、記憶部１４から読み出されたテーブル１３を用いて、ビューファ８の焦点合わせを決定するレンズ９に設けられた焦点合わせ部１６と、からなる。
【００１１】
そして、予め前記被写体画像を撮影した時の撮像素子での焦点が合う絞りとビューファを覗き込んで焦点が合う絞りの関係が求められたテーブル１３を格納する記憶部１４と、記憶部１４からテーブルを読み出す読み出し部１５と、記憶部１４から読み出されたテーブル１３を用いて、ビューファの焦点合わせを決定する焦点合わせ部１６と、からスクリーン３上に投射された超高解像度画像を鮮明に調整する。
【００１２】
図２（Ｂ）に示す遠隔操作部５は、焦点を合わせる画像範囲であるＨｓｉｚｅとＶｓｉｚｅを調整する操作つまみ５０と、焦点を合わせる画像の位置を設定する移動方向指示ボタン５１と、焦点を合わせるフォーカスボタン５２と、からなる。
【００１３】
そして、図２（Ａ）に示すように、スクリーン３上に投射された投射画像Ｖ３を見ながら、焦点を合わせる画像範囲のＨｓｉｚｅとＶｓｉｚｅを操作つまみ５０により設定し、次に移動方向指示ボタン５１により、焦点を合わせる画像の位置を設定する。
この焦点を合わせる画像は、遠隔操作部５からの制御信号ＣＴＬ０に基づいて画像表示装置４の中で送り返し画像Ｖ１として生成され、モニタ７に表示されると共にビューファ８にも送られる。
【００１４】
次に、図２（Ｂ）に示す遠隔操作部５において、フォーカスボタン５２の（＋）もしくは（−）のいずれかを押すと、遠隔操作部５から制御信号ＣＴＬ１が出力されてレンズ駆動部１０に供給され、この制御信号ＣＴＬ１に基づいてレンズ９の焦点距離が移動する。
このフォーカスボタン５２の（＋）もしくは（−）のいずれかを押して、スクリーン３上に投射された投射画像Ｖ３とモニタ７に表示された送り返し画像Ｖ１を見ながら、レンズ９の焦点距離を移動させることにより投射画像Ｖ３の焦点を合わせる。
【００１５】
そして、撮像装置１には、予め被写体画像を撮影した時の撮像素子での焦点が合う絞りとビューファ８を覗き込んで焦点が合う絞りの関係が求められたテーブル１３を格納する記憶部１４と、記憶部１４からテーブルを読み出す読み出し部１５と、記憶部１４から読み出されたテーブル１３を用いて、ビューファ８の焦点合わせを決定するレンズ９に設けられた焦点合わせ部１６と、を有するので、スクリーン３上に投射された超高解像度画像を容易に鮮明に調整することが出来る。
【００１６】
以上述べてきたように、本発明の実施形態によれば、スクリーン３上に被写体光像の画素の一つ一つが鮮明に投射された超高解像度画像を見ながら、超高解像度画像の中の指定した場所の画像における焦点をビューファ８の焦点合わせと遠隔操作部５によりさらに精密に合わせる事が出来る。
【図面の簡単な説明】
【００１７】
【図１】本発明の実施形態における画像伝送システムを示す図である。
【図２】被写体画像の焦点を合わせる遠隔操作部を示し、（Ａ）は、焦点を合わせる際に用いる画像を示し、（Ｂ）は、遠隔操作部の操作ボタンを示す図である。
【図３】従来の画像伝送システムを示す図である。
【符号の説明】
【００１８】
１・・・撮像装置、２・・・伝送路、３・・・スクリーン３、４・・・画像表示装置、５・・・遠隔操作部、６・・・投射部、７・・・モニタ、８・・・ビューファ、９・・・レンズ、１０・・・レンズ駆動部、１１・・・携帯電話、１２・・・携帯電話、５０・・・操作つまみ、５１・・・移動方向指示ボタン、５２・・・フォーカスボタン
【図１】
2006148639.tif 000003
【図２】
2006148639.tif 000004
【図３】
2006148639.tif 000005